(57)【特許請求の範囲】
【請求項１】
少なくともオンライン登録された会員情報を蓄積する会員情報データベースと、前記オンライン登録以外の方法で登録された顧客についてのユーザＩＤを含んだ顧客情報を蓄積する顧客情報データベースとを含んだオンライン登録支援システムを構成するコンピュータが、
前記オンライン登録をおこなう者が使用する端末装置から、前記ユーザＩＤを、通信ネットワークを介して受信するユーザＩＤ受信ステップと、
前記ユーザＩＤ受信ステップで受信したユーザＩＤに基づいて前記顧客情報データベースを検索し、該ユーザＩＤに対応づけられている顧客情報を取得する顧客情報取得ステップと、
前記顧客情報取得ステップで取得した顧客情報を含んだフォームページを生成し、前記端末装置に修正可能に表示するフォームページ表示ステップと、
前記フォームページ表示ステップで表示したフォームページに含まれている情報を、前記オンライン登録の新規登録情報として、前記ネットワークを介して受信する登録情報受信ステップと、
前記登録情報受信ステップで受信した情報を、顧客担当者を示す担当者ＩＤと対応づけて前記会員情報データベースに登録する新規会員登録ステップと、
前記新規会員登録ステップで登録された情報が顧客担当者に通知される旨を当該会員に報知して、了承を求める通知確認ステップと、
前記新規会員登録ステップで新規登録したことを契機に、前記顧客情報取得ステップで取得された顧客情報に対応づけられている担当者ＩＤに基づいて、顧客担当者についての情報を蓄積している担当者情報データベースから、当該新規会員の顧客担当者を検索する担当者検索ステップと、
前記通知確認ステップで会員からの了承が得られた場合のみ、前記担当者検索ステップで検索された顧客担当者に、前記会員情報登録ステップで新規登録された登録情報を電子メールで通知する営業情報通知ステップと、
を実行することを特徴とするオンライン登録支援方法。
【請求項２】
前記営業情報通知ステップは、前記顧客情報取得ステップで取得された顧客情報に、当該顧客の電子メールアドレスが含まれている場合、前記オンライン登録によって利用可能な電子商取引にアクセスするための情報を含んだ電子メールを作成し、該電子メールアドレス宛に送信する、
ことを特徴とする請求項１に記載のオンライン登録支援方法。
【請求項３】
オンライン登録支援システムを構成するサーバ装置であって、
オンライン登録された会員情報を蓄積する会員情報データベースと、
前記オンライン登録以外の方法で登録された顧客についてのユーザＩＤを含んだ顧客情報を蓄積する顧客情報データベースと、
顧客担当者についての少なくとも電子メールアドレスを含む担当者情報を蓄積する担当者情報データベースと、
前記オンライン登録をおこなう者が使用する端末装置から、前記ユーザＩＤを、通信ネットワークを介して受信するユーザＩＤ受信部と、
前記ユーザＩＤ受信部が受信したユーザＩＤに基づいて前記顧客情報データベースを検索し、該ユーザＩＤに対応づけられている顧客情報を取得する顧客情報取得部と、
前記顧客情報取得部が取得した顧客情報を含んだフォームページを生成し、前記端末装置に修正可能に表示するフォームページ表示部と、
前記フォームページ表示部が表示したフォームページに含まれている情報を、前記オンライン登録の新規登録情報として、前記ネットワークを介して受信する登録情報受信部と、
前記登録情報受信部が受信した情報を、顧客担当者を示す担当者ＩＤと対応づけて前記会員情報データベースに登録する新規会員登録部と、
前記新規会員登録部で登録された情報が顧客担当者に通知される旨を当該会員に報知して、了承を求める通知確認部と、
前記新規会員登録部が新規登録したことを契機に、前記顧客情報取得部が取得した顧客情報に対応づけられている担当者ＩＤに基づいて、前記担当者情報データベースから、当該新規会員の顧客担当者を検索する担当者検索部と、
前記通知確認部が会員からの了承を得た場合のみ、前記担当者検索部が検索した顧客担当者に、前記会員情報登録部が新規登録した登録情報を電子メールで通知する営業情報通知部と、
を備えることを特徴とするサーバ装置。
【請求項４】
前記営業情報通知部は、前記顧客情報取得部が取得した顧客情報に、当該顧客の電子メールアドレスが含まれている場合、前記オンライン登録によって利用可能な電子商取引にアクセスするための情報を含んだ電子メールを作成し、該電子メールアドレス宛に送信する、
ことを特徴とする請求項３に記載のサーバ装置。
【請求項５】
少なくともオンライン登録された会員情報を蓄積する会員情報データベースと、前記オンライン登録以外の方法で登録された顧客についてのユーザＩＤを含んだ顧客情報を蓄積する顧客情報データベースとを含んだオンライン登録支援システムを構成するコンピュータに、
前記オンライン登録をおこなう者が使用する端末装置から、前記ユーザＩＤを、通信ネットワークを介して受信する機能と、
受信したユーザＩＤに基づいて前記顧客情報データベースを検索し、該ユーザＩＤに対応づけられている顧客情報を取得する機能と、
取得した顧客情報を含んだフォームページを生成し、前記端末装置に修正可能に表示する機能と、
前記端末装置に表示したフォームページに含まれている情報を、前記オンライン登録の新規登録情報として、前記ネットワークを介して受信する機能と、
受信した新規登録情報を、顧客担当者を示す担当者ＩＤと対応づけて前記会員情報データベースに登録する機能と、
登録された情報が顧客担当者に通知される旨を当該会員に報知して、了承を求める機能と、
前記会員情報データベースに新規登録したことを契機に、取得した顧客情報に対応づけられている担当者ＩＤに基づいて、顧客担当者についての情報を蓄積している担当者情報データベースから、当該新規会員の顧客担当者を検索する機能と、
会員からの了承を得た場合のみ、検索された顧客担当者に、前記新規登録情報を電子メールで通知する機能と、
を実現させることを特徴とするプログラム。
【発明の詳細な説明】
【０００１】
【発明が属する技術分野】
本発明は、オンライン登録支援方法、サーバ装置、およびプログラムに関し、特に、電子メールを活用することで電子商取引と現実の営業活動とを連携させ、営業効率および顧客満足度を向上させるオンライン登録支援方法、サーバ装置、およびプログラムに関する。
【０００２】
【従来の技術】
顧客に営業担当者を割り当て、顧客と営業担当者との間に信頼関係を醸成し、営業担当者による個別訪問などを通じて、顧客の商品利用状況や様々な要望を把握し、各顧客に合わせた商品提案を行うような営業活動が伝統的に行われている。
【０００３】
一方、近年のインターネットの急速な普及により、インターネットを利用した電子商取引が多く行われている。このような電子商取引においては、登録した会員のみにサービスを提供する会員制が導入されていることが多い。この場合、ユーザは自身に関する情報をウェブサイト上で登録することで会員登録できる（いわゆるオンライン登録）。
【０００４】
しかしながら、従来の営業担当者による営業活動で獲得された顧客が商品を購入した場合、例えば、はがきやファクシミリ、電話などで顧客情報を登録（ユーザ登録など）をしていることが一般的である。そのため、従来からの顧客が電子商取引を利用する場合、再度顧客情報を入力することになり、顧客にとって煩雑であった。また、販売業者は重複した顧客情報を保有する可能性があり、合理的ではない。
【０００５】
さらに、電子商取引により販売された商品についても、例えばアフターサービスなどを営業担当者による現実の営業活動でカバーすることで販売効果を上げることができる。しかしながら、オンライン登録での顧客情報は、ウェブサイトを提供するサーバまたは販売業者の本部などのサーバに登録されるのみであり、各営業担当者が登録された情報を逐一把握することは困難である。このため、営業担当者が顧客の利用形態を十分に把握できず、効果的な営業活動ができなかった。
【０００６】
また、顧客毎に営業担当者がすで割り当てられている場合、顧客と営業担当者との信頼関係が築かれており、利便性から電子商取引の利用が拡大しても、営業担当者を介した営業活動は依然重要である。従って、電子商取引の利便性を利用しつつ、従来の営業担当者による営業活動を支援する手法の確立が望まれる。
営業担当者に限らず、サービス担当者や保守担当者についても同様の問題が存在する。
【０００７】
【発明が解決しようとする課題】
本発明は、上記実状に鑑みてなされたもので、電子メールを活用することで、電子商取引と現実の営業活動とを連携させ、営業効率および顧客満足度を向上させるオンライン登録支援方法、サーバ装置、およびプログラムを提供することを目的とする。
【０００８】
【課題を解決するための手段】
上記目的を達成するため、本発明の第１の観点にかかるオンライン登録支援方法は、
少なくともオンライン登録された会員情報を蓄積する会員情報データベースと、前記オンライン登録以外の方法で登録された顧客についてのユーザＩＤを含んだ顧客情報を蓄積する顧客情報データベースとを含んだオンライン登録支援システムを構成するコンピュータが、
前記オンライン登録をおこなう者が使用する端末装置から、前記ユーザＩＤを、通信ネットワークを介して受信するユーザＩＤ受信ステップと、
前記ユーザＩＤ受信ステップで受信したユーザＩＤに基づいて前記顧客情報データベースを検索し、該ユーザＩＤに対応づけられている顧客情報を取得する顧客情報取得ステップと、
前記顧客情報取得ステップで取得した顧客情報を含んだフォームページを生成し、前記端末装置に修正可能に表示するフォームページ表示ステップと、
前記フォームページ表示ステップで表示したフォームページに含まれている情報を、前記オンライン登録の新規登録情報として、前記ネットワークを介して受信する登録情報受信ステップと、
前記登録情報受信ステップで受信した情報を、顧客担当者を示す担当者ＩＤと対応づけて前記会員情報データベースに登録する新規会員登録ステップと、
前記新規会員登録ステップで登録された情報が顧客担当者に通知される旨を当該会員に報知して、了承を求める通知確認ステップと、
前記新規会員登録ステップで新規登録したことを契機に、前記顧客情報取得ステップで取得された顧客情報に対応づけられている担当者ＩＤに基づいて、顧客担当者についての情報を蓄積している担当者情報データベースから、当該新規会員の顧客担当者を検索する担当者検索ステップと、
前記通知確認ステップで会員からの了承が得られた場合のみ、前記担当者検索ステップで検索された顧客担当者に、前記会員情報登録ステップで新規登録された登録情報を電子メールで通知する営業情報通知ステップと、
を実行することを特徴とする。
【００１２】
上記オンライン登録支援方法において、
前記営業情報通知ステップは、前記顧客情報取得ステップで取得された顧客情報に、当該顧客の電子メールアドレスが含まれている場合、前記オンライン登録によって利用可能な電子商取引にアクセスするための情報を含んだ電子メールを作成し、該電子メールアドレス宛に送信してもよい。
【００１６】
上記目的を達成するため、本発明の第２の観点にかかるサーバ装置は、
オンライン登録支援システムを構成するサーバ装置であって、
オンライン登録された会員情報を蓄積する会員情報データベースと、
前記オンライン登録以外の方法で登録された顧客についてのユーザＩＤを含んだ顧客情報を蓄積する顧客情報データベースと、
顧客担当者についての少なくとも電子メールアドレスを含む担当者情報を蓄積する担当者情報データベースと、
前記オンライン登録をおこなう者が使用する端末装置から、前記ユーザＩＤを、通信ネットワークを介して受信するユーザＩＤ受信部と、
前記ユーザＩＤ受信部が受信したユーザＩＤに基づいて前記顧客情報データベースを検索し、該ユーザＩＤに対応づけられている顧客情報を取得する顧客情報取得部と、
前記顧客情報取得部が取得した顧客情報を含んだフォームページを生成し、前記端末装置に修正可能に表示するフォームページ表示部と、
前記フォームページ表示部が表示したフォームページに含まれている情報を、前記オンライン登録の新規登録情報として、前記ネットワークを介して受信する登録情報受信部と、
前記登録情報受信部が受信した情報を、顧客担当者を示す担当者ＩＤと対応づけて前記会員情報データベースに登録する新規会員登録部と、
前記新規会員登録部で登録された情報が顧客担当者に通知される旨を当該会員に報知して、了承を求める通知確認部と、
前記新規会員登録部が新規登録したことを契機に、前記顧客情報取得部が取得した顧客情報に対応づけられている担当者ＩＤに基づいて、前記担当者情報データベースから、当該新規会員の顧客担当者を検索する担当者検索部と、
前記通知確認部が会員からの了承を得た場合のみ、前記担当者検索部が検索した顧客担当者に、前記会員情報登録部が新規登録した登録情報を電子メールで通知する営業情報通知部と、
を備えることを特徴とする。
【００１８】
上記サーバ装置において、
前記営業情報通知部は、前記顧客情報取得部が取得した顧客情報に、当該顧客の電子メールアドレスが含まれている場合、前記オンライン登録によって利用可能な電子商取引にアクセスするための情報を含んだ電子メールを作成し、該電子メールアドレス宛に送信してもよい。
【００２０】
上記目的を達成するため、本発明の第３の観点にかかるプログラムは、
少なくともオンライン登録された会員情報を蓄積する会員情報データベースと、前記オンライン登録以外の方法で登録された顧客についてのユーザＩＤを含んだ顧客情報を蓄積する顧客情報データベースとを含んだオンライン登録支援システムを構成するコンピュータに、
前記オンライン登録をおこなう者が使用する端末装置から、前記ユーザＩＤを、通信ネットワークを介して受信する機能と、
受信したユーザＩＤに基づいて前記顧客情報データベースを検索し、該ユーザＩＤに対応づけられている顧客情報を取得する機能と、
取得した顧客情報を含んだフォームページを生成し、前記端末装置に修正可能に表示する機能と、
前記端末装置に表示したフォームページに含まれている情報を、前記オンライン登録の新規登録情報として、前記ネットワークを介して受信する機能と、
受信した新規登録情報を、顧客担当者を示す担当者ＩＤと対応づけて前記会員情報データベースに登録する機能と、
登録された情報が顧客担当者に通知される旨を当該会員に報知して、了承を求める機能と、
前記会員情報データベースに新規登録したことを契機に、取得した顧客情報に対応づけられている担当者ＩＤに基づいて、顧客担当者についての情報を蓄積している担当者情報データベースから、当該新規会員の顧客担当者を検索する機能と、
会員からの了承を得た場合のみ、検索された顧客担当者に、前記新規登録情報を電子メールで通知する機能と、
を実現させることを特徴とする。
【００２１】
【発明の実施の形態】
本発明にかかる実施の形態を図面を参照して説明する。
【００２２】
図１は、本発明の実施の形態にかかるオンライン登録支援システムの構成を示す図である。図示するようにオンライン登録支援システム１は、サーバ１００、通信ネットワーク２００、ユーザ端末３００−１〜３００−ｎ、営業担当者端末４００−１〜４００−ｎ、から構成される。
【００２３】
サーバ１００は、商品販売者によって運営される、例えば、メインフレームやワークステーションなどのコンピュータで構成され、通信ネットワーク２００を介してユーザ端末３００からアクセス可能な商品情報などの情報を含むウェブページを提供するとともに、営業担当者端末４００に営業情報を通知する。サーバ１００の詳細な構成は図２を参照して後述する。なお、本実施の形態では、商品販売者として、事務機器販売者の場合を例に説明する。
【００２４】
通信ネットワーク２００は、例えばインターネットであり、サーバ１００、ユーザ端末３００、営業担当者端末４００を相互に接続する。なお、本実施の形態では、通信ネットワーク２００としてインターネットを採用するものとし、以下インターネット２００として説明する。
【００２５】
ユーザ端末３００は、制御部、記憶部、表示部などを備えた、例えば、パーソナルコンピュータなどの汎用コンピュータなどから構成され、例えば、モデムやＴＡ（Terminal Adapter：ターミナルアダプタ）などの通信装置によりインターネット２００と接続可能に構成されている。ユーザ端末３００の記憶部には、インターネット２００を介して提供されるウェブページを閲覧するためのプログラムがインストールされており、ユーザ端末３００のＣＰＵ（Central Processing Unit：中央演算処理装置）がプログラムを実行することでウェブページを受信し、表示部に表示させることで閲覧できるように構成されている。
【００２６】
営業担当者端末４００は、商品販売者の営業担当者が携帯する端末であり、例えば、パーソナルコンピュータなどの汎用コンピュータ、ＰＤＡ（Personal Data Assistants）などの携帯情報端末、電子メールの送受信が可能な携帯電話やＰＨＳ（Personal Handyphone System）などの移動体通信端末、などである。
【００２７】
次に図２を参照して、サーバ１００の構成を説明する。図２は、サーバ１００の構成を示すブロック図である。
【００２８】
図２に示すように、サーバ１００は、制御部１１０、顧客情報データベース１２０、会員情報データベース１３０、担当者情報データベース１４０、ウェブサーバ１５０、メールサーバ１６０、および通信部１７０、から構成されている。
【００２９】
制御部１１０はＣＰＵ（Central Processing Unit：中央演算処理装置）から構成され、図示しないメモリに予め記憶された動作プログラムを実行してサーバ１００の各部を制御することで、後述する処理を実行する。
【００３０】
顧客情報データベース１２０は、例えばハードディスク装置などの書換可能な記憶装置から構成され、すでに従来のはがきやファクシミリ、電話などで、例えばユーザ登録として受け付けた顧客に関する情報（以下、「顧客情報」と称す）を記憶する。図３（ａ）に、顧客情報データベース１２０に記憶される顧客情報の例を示す。
【００３１】
図示するように、顧客情報データベース１２０には、ユーザ登録時に割り当てられたユーザＩＤ、顧客氏名、メールアドレス、顧客が所有している当該商品販売者が販売した商品を示す情報、電話番号や住所などの連絡先情報、当該顧客を担当する営業担当者を示す担当者ＩＤ、などが登録される。なお、本実施の形態では、ユーザ登録時に割り当てられたユーザＩＤは当該顧客に通知されているものとする。
【００３２】
会員情報データベース１３０は、例えばハードディスク装置などの書換可能な記憶装置から構成され、サーバ１００が提供するウェブサイト上で受け付けた、電子商取引のための会員登録（以下、「オンライン登録」と称す）により登録された個人情報（以下、「会員情報」と称す）を記憶する。図３（ｂ）に、会員情報データベース１３０に記憶される会員情報の例を示す。
【００３３】
図示するように、会員情報データベース１３０には、ユーザＩＤ、電子商取引のログイン時に必要となる任意のパスワード、顧客氏名、メールアドレス、顧客が所有している当該商品販売者が販売した商品を示す情報、電話番号や住所などの連絡先情報、当該会員を担当する営業担当者の担当者ＩＤ、などが登録される。
【００３４】
担当者情報データベース１４０は、例えばハードディスク装置などの書換可能な記憶装置から構成され、当該商品販売者の営業担当者に関する情報（以下、「担当者情報」と称す）を記憶する。図３（ｃ）に、担当者情報データベース１４０に記憶される担当者情報の例を示す。
【００３５】
図示するように、担当者情報データベース１４０には、営業担当者を識別するための担当者ＩＤを示す情報、担当者氏名、当該担当者の営業担当地域を示す地域コード、当該担当者の営業担当者端末４００で受信可能なメールアドレス、担当商品を示す情報、などが登録される。
【００３６】
ウェブサーバ１５０は、図示しない制御部、記憶部などを備えたサーバ装置から構成され、各種情報を示すウェブページを作成して、記憶する。ウェブサーバ１５０では、記憶部がウェブページを作成するためのプログラムを記憶し、制御部がこのプログラムを実行することでウェブページを作成・更新する。
【００３７】
メールサーバ１６０は、図示しない制御部、記憶部などを備えるサーバ装置から構成され、営業担当者宛の電子メールを作成・送信する。メールサーバ１６０の記憶部には、営業担当者宛の電子メールに用いられる定型文やテンプレートなどが予め登録されている。また、記憶部は電子メールを作成するためのプログラムを記憶しており、制御部がこのプログラムを実行することで、定型文やテンプレートを用いた電子メールが作成され、担当者情報データベース１４０に登録されているメールアドレス宛に送信される。
【００３８】
通信部１７０は、例えば、ルータやＴＡ（Terminal Adapter）などの通信装置から構成され、サーバ１００をインターネット２００に接続する。通信部１７０は、ユーザ端末３００からのアクセスを受け付けるとともに、ウェブサーバ１５０に保持しているウェブページを示すデータを、アクセスしてきたユーザ端末３００に送信する。また、メールサーバ１６０が作成した電子メールを、インターネット２００を介して営業担当者端末４００に送信する。
【００３９】
次に、本実施の形態にかかるオンライン登録支援システム１の動作を図４のフローチャートを参照して説明する。なお、本実施の形態のサーバ１００が提供するウェブサイトは、登録された会員のみが各種サービスを受けることができる会員制のウェブサイトであり、会員登録していない者は、当該ウェブサイト上で会員登録（新規登録）するものとする。また、サーバ１００による動作は、メモリに予め記憶した動作プログラムを制御部１１０が実行することで実現されるものとする。
【００４０】
まず、顧客は、ユーザ端末３００を操作し、サーバ１００が提供するウェブサイトのトップページにアクセスすると（ステップＳ１０１：Ｙｅｓ）、サーバ１００の制御部１１０は、ウェブサーバ１５０を制御し、図５に示すようなメニューページを取得し、通信部１７０を制御して、アクセスしてきたユーザ端末３００に送信する（ステップＳ１０２）。
【００４１】
ユーザ端末３００は、サーバ１００からメニューページを受信し、表示部に表示させる。図５に示すように、メニューページには当該ウェブサイトが提供する各ページへリンクした項目が表示されている。つまり、各項目は、例えばハイパーテキスト形式で記述されており、対応するページのＵＲＬ（Uniform Resource Locator）にリンクしている。顧客は、所望の項目を選択することで、サーバ１００に対し、当該ページの送信を要求する。
【００４２】
ここで、新規登録以外の項目が選択された場合（ステップＳ１０３：Ｎｏ）は、ステップＳ２００に進み、対応するページの送信などの処理が行われる。
【００４３】
一方、新規登録が選択された場合（ステップＳ１０３：Ｙｅｓ）、制御部１１０はウェブサーバ１５０を制御して、図６に示すようなユーザＩＤ入力ページを取得し、通信部１７０を制御して当該ユーザ端末３００に送信する（ステップＳ１０４）。このユーザＩＤ入力ページには、図６に示すように、ユーザＩＤを入力するテキストボックスが用意されている。当該ウェブサイトを提供する販売者から以前商品を購入し、ユーザ登録した者にはユーザＩＤが通知されている。当該顧客がユーザＩＤを持っている場合は、これをテキストボックスに入力し、「送信」ボタンを選択する。一方、ユーザＩＤを持っていない者は、テキストボックスには何も入力せずに「送信」ボタンを選択するものとする。
【００４４】
サーバ１００がユーザ端末３００からユーザＩＤを受信した場合（ステップＳ１０５：Ｙｅｓ）、制御部１１０は、ステップＳ３００の登録情報更新処理を実行する。詳細を図７のフローチャートを参照して説明する。
【００４５】
まず、制御部１１０は、ステップＳ１０５で受信したユーザＩＤをキーに顧客情報データベース１２０を検索し（ステップＳ３０１）、当該ユーザＩＤに対応するレコードがあるか否かを判別する（ステップＳ３０２）。
【００４６】
当該レコードがない場合（ステップＳ３０２：Ｎｏ）は、入力内容に間違いがないかを問い合わせるエラーメッセージなどを表示し、再入力を促すなどの所定のエラー処理を行う（ステップＳ４００）。
【００４７】
一方、当該レコードがある場合（ステップＳ３０２：Ｙｅｓ）、制御部１１０は、当該レコードに登録されている情報を取得する（ステップＳ３０３）。
【００４８】
制御部１１０はさらに、取得した情報をウェブサーバ１５０に引き渡すとともに、図８に示すような、取得した情報を含んだ登録情報送信フォームページの作成を指示する（ステップＳ３０４）。ここでは、ウェブサーバ１５０は、登録情報送信フォームページのテンプレートを保持しており、このテンプレートに制御部１１０から引き渡された情報（顧客情報）を流し込むことで、登録情報送信フォームページを作成する。
【００４９】
制御部１１０は、通信部１７０を制御し、ウェブサーバ１５０が作成した登録情報送信フォームページを当該ユーザ端末３００に送信する（ステップＳ３０４）。
【００５０】
ユーザ端末３００では、受信した登録情報送信フォームページが表示部に表示される。ここで表示される登録情報送信フォームページには、ステップＳ３０３で取得された、当該顧客についての顧客情報データベース１２０に登録された情報がすでに入力された形態となっている。つまり、当該顧客が以前商品を購入した際のユーザ登録に基づいた顧客情報が表示されている。ここで、表示されている顧客情報に変更がある場合（例えば、住所変更など）、ユーザ端末３００を操作して、当該項目を修正し、「送信」ボタンを選択することでサーバ１００に送信する。変更がない場合は、そのまま「送信」ボタンを選択してサーバ１００に送信する。
【００５１】
サーバ１００がユーザ端末３００から登録情報を受信すると（ステップＳ３０５：Ｙｅｓ）、制御部１１０は、会員情報データベース１３０にアクセスし、当該顧客のレコードを作成して、受信した登録情報を登録する（ステップＳ３０６）。
【００５２】
一方、ユーザＩＤ入力ページからユーザＩＤが送信されない場合（ステップＳ１０５：Ｎｏ）は、ユーザ登録をしていない者とみなし、図８に示す登録情報送信フォームの各項目が空欄となっているページをユーザＩＤに送信するなどして、新規登録を行う（ステップＳ２００）。
【００５３】
次に制御部１１０は、ウェブサーバ１５０から、図９に示すような通知確認ページを取得し、通信部１７０を制御して当該ユーザ端末３００に送信する（図４：ステップＳ１０６）。
【００５４】
図９に示すように、ユーザ端末３００から送信される情報、つまり、登録情報の変更を示す情報が、営業担当者に通知され、例えば、今後のサービスに活用するなど２次利用される旨を顧客に報知する内容が記載されている。通知確認ページには、顧客がそのような２次利用を希望しないことを通知できるチェックボックスが用意されている。つまり、チェックボックスをクリックするなどしてチェックマークを入力することで、サーバ１００には、送信情報の２次利用を希望しない旨が通知される。
【００５５】
なお、ユーザ登録時などに例えばプライバシーポリシー規定などにより、上記２次利用に関する同意を得るなどした場合は、通知確認ページの送信は省略してもよい。この場合、ユーザ登録時に、上記２次利用の同意か不同意かを各顧客毎に確認し、同意・不同意を示す情報を顧客情報データベース１２０に登録してもよい。この場合さらに、登録してある同意・不同意を示す情報の変更を顧客が要求できるものとする。例えば、各ページに、当該情報の変更を受け付けるページへのリンクを設け、当該ページにアクセスして、登録情報の変更要請を送信することで、顧客情報データベース１２０に登録してある情報を変更する。
【００５６】
より詳細には、送信情報の２次利用の賛否を選択した後、「送信」ボタンを選択することで、当該賛否を示す情報がサーバ１００に送信される。
【００５７】
担当者への通知が了承されない場合、つまり、上述のチェックボックスがチェックされた場合（ステップＳ１０７：Ｎｏ）、そのまま処理を終了する。
【００５８】
一方、担当者への通知が了承された場合、つまり、上述のチェックボックスがチェックされない場合（ステップＳ１０７：Ｙｅｓ）は、営業担当者への電子メール送信処理が実行される（ステップＳ５００）。この処理の詳細を図１０のフローチャートを参照して説明する。
【００５９】
まず、サーバ１００の制御部１１０は、会員情報データベース１３０にアクセスし、当該顧客のレコードを取得する（ステップＳ５０１）。
【００６０】
次に制御部１１０は、当該レコードから営業担当者の担当者ＩＤを取得し、担当者情報データベース１４０から当該営業担当者のメールアドレスを取得する（ステップＳ５０２）。
【００６１】
制御部１１０は、メールサーバ１６０に、ステップＳ５０２で取得した営業担当者のメールアドレスを引き渡すとともに、当該顧客が会員登録をした旨を示す電子メールを作成するよう指示する（ステップＳ５０３）。なお、ステップＳ３０５で受信した登録情報に変更入力があった場合は、その旨も示した電子メールの作成を指示する。
【００６２】
制御部１１０は、通信部１７０を制御し、メールサーバ１６０が作成した電子メールを、ステップＳ５０２で取得した営業担当者のメールアドレス宛に送信して（ステップＳ５０４）、処理を終了する。
【００６３】
当該営業担当者は、受信した電子メールを参照し、当該顧客がウェブサイトからの電子商取引が可能となったことを認知することで、今後の営業活動に活用する。
【００６４】
上記実施の形態では、電子メールが営業担当者に送信される構成としたが、送信先は営業担当者に限られない。例えば、営業担当者に加え、商品販売者の顧客情報管理者などに同時に通知するようにしてもよい。
また、上記実施の形態では、理解を容易にするために、顧客担当者として営業担当者を例に説明したが、顧客担当者は、営業担当者に限定されず、サービス担当者や保守担当者などでもよい。
【００６５】
また、上記実施の形態において、顧客情報データベース１２０に登録されている顧客情報に、当該顧客のメールアドレスが登録されている場合、サーバ１００が提供するウェブサイトのＵＲＬをハイパーテキストで記述した電子メールを作成して当該メールアドレス宛に送信することで、ウェブサイトの存在を通知するようにしてもよい。このような構成とすることにより、顧客に対し、電子商取引をはじめとしたウェブサイトからのサービス利用を積極的に促進することができる。
【００６６】
上記実施の形態では、サーバ１００の制御部１１０が、予めメモリに記憶されたプログラムを実行する構成としたが、これらのプログラムは、例えば、フロッピーディスク、ＣＤ−ＲＯＭ（Compact Disc Read Only Memory）、ＤＶＤ（Digital Versatile Disc）などのコンピュータ読み取り可能な記録媒体に格納して配布されてもよい。あるいは、これらのプログラムを搬送波に重畳させることで、インターネット２００などの通信ネットワークを介して配信し、コンピュータにダウンロードするものとしてもよい。
【００６７】
【発明の効果】
以上説明したように、本発明によれば、顧客担当者は、顧客に関する情報を把握して、迅速な営業活動を展開すること等が可能であり、高い顧客満足度と、営業活動の効率化を実現することができる。
【図面の簡単な説明】
【図１】本発明の実施の形態にかかるオンライン登録支援システムの構成を示す図である。
【図２】図１に示すサーバの構成を示すブロック図である。
【図３】図２に示すデータベースに登録される情報の例を示す図であり、（ａ）は顧客情報データベースに登録される情報を例示し、（ｂ）は会員情報データベースに登録される情報を例示し、（ｃ）は、担当者情報データベースに登録される情報を例示している。
【図４】本発明の実施の形態にかかるオンライン登録支援システムの動作を説明するためのフローチャートである。
【図５】図４に示す動作で送信されるメニューページの表示例を示す図である。
【図６】図４に示す動作で送信されるユーザＩＤ入力ページの表示例を示す図である。
【図７】図４に示す登録情報更新処理を説明するためのフローチャートである。
【図８】図７に示す登録情報更新処理で送信される登録情報送信フォームページの表示例を示す図である。
【図９】図４に示す動作で送信される通知確認ページの表示例を示す図である。
【図１０】図４に示す営業担当者への電子メール送信処理を説明するためのフローチャートである。
【符号の説明】
１  オンライン登録支援システム
１００  サーバ
１２０  顧客情報データベース
１３０  会員情報データベース
１４０  担当者情報データベース
１５０  ウェブサーバ
１６０  メールサーバ
２００  インターネット
３００―１〜３００−ｎ  ユーザ端末
４００−１〜４００−ｎ  営業担当者端末
【図１】
0004046173.tif 000002
【図２】
0004046173.tif 000003
【図３】
0004046173.tif 000004
【図４】
0004046173.tif 000005
【図５】
0004046173.tif 000006
【図６】
0004046173.tif 000007
【図７】
0004046173.tif 000008
【図８】
0004046173.tif 000009
【図９】
0004046173.tif 000010
【図１０】
0004046173.tif 000011